【事件の表示】
　特許第３０５１８２０号「誘電体フィルタ用基板とそれを用いた誘電体フィルタ」の請求項１、２に係る特許に対する特許異議の申立てについて、次のとおり決定する。
【結　論】
　訂正を認める。
　特許第３０５１８２０号の請求項１、２に係る特許を取り消す。
【理　由】
１．手続の経緯
　本件特許第３０５１８２０号の請求項１及び２に係る発明は、平成７年６月１６日に特許出願され、平成１２年３月３１日にその設定登録がなされ、その後、芦沢富美子より特許異議の申立てがなされ、平成１３年２月２２日付けで取消理由通知がなされ、その指定期間内である平成１３年５月７日に訂正請求がなされ、この訂正請求に対して平成１３年７月２５日付けで訂正拒絶理由通知がなされ、その指定期間内である平成１３年１０月２日に訂正請求書の補正がなされたものである。
　　　　
２．訂正の適否についての判断
　（１）訂正請求に対する補正の適否について
　平成１３年５月７日の訂正請求書に対する平成１３年１０月２日の補正の内容は、特許明細書の特許請求の範囲の請求項１中の「誘電体フィルタ用基板上に、１個もしくは複数の誘電体共振器の結合ピンの位置と、」を「誘電体フィルタ用基板上に、ホトリソグラフィ技術により、１個もしくは複数の誘電体共振器の結合ピンの位置と、」と訂正しようとする訂正請求事項、及び、これと関連する特許明細書の【課題を解決するための手段】及び【作用】の項の内容を訂正しようとする訂正請求事項を削除する補正を行うものであるところ、これらの補正は訂正事項の削除に該当し、訂正請求書の要旨を変更するものではないから、補正を認める。
　　　
　（２）訂正請求の内容
　訂正請求書に対する補正が認められるから、この補正を踏まえると、その訂正請求の内容は、以下のとおりである。
　i．訂正事項ａ
　特許明細書の特許請求の範囲の請求項１中の「基板表面に形成された導体パターンのハンダ付け位置とが一致する深さの溝状の凹部もしくは段差状の凹部を設け、」を「基板表面に形成された導体パターンのハンダ付け位置とが一致する深さの溝状の凹部を設け、」と訂正する。
　ii．訂正事項ｂ
　特許明細書の特許請求の範囲の請求項１中の「かつ該凹部の幅を、上記基板上に搭載する１個もしくは複数の誘電体共振器の幅とほぼ同じ大きさとなし、」を「かつ該凹部の幅を、上記基板上に搭載するそれぞれの誘電体共振器の幅とほぼ同じ大きさとなし、」と訂正する。
　iii．訂正事項ｃ
　上記訂正事項ａ〜ｂに対応して特許明細書の【課題を解決するための手段】及び【作用】中の「基板表面に形成された導体パターンのハンダ付け位置とが一致する深さの溝状の凹部もしくは段差状の凹部を設け、かつ該凹部の幅を、上記基板上に搭載する１個もしくは複数の誘電体共振器の幅とほぼ同じ大きさとなし、」を「基板表面に形成された導体パターンのハンダ付け位置とが一致する深さの溝状の凹部を設け、かつ該凹部の幅を、上記基板上に搭載するそれぞれの誘電体共振器の幅とほぼ同じ大きさとなし、」と訂正し、【実施例】中の「また、図２（ｃ）に示すような段差状の凹部４１を設けた基板１０ｂを用いてもよい。」を「また、図２（ｃ）に示すような誘電体フィルタ用基板は参考例であり、段差状の凹部４１を設けた基板１０ｂを用いている。」と訂正する。
　　　
　（３）訂正の目的の適否、新規事項の有無及び拡張変更の存否
　訂正事項ａは、特許請求の範囲の減縮を目的とするものであり、訂正事項ｂは、特許請求の範囲の明りょうでない記載の釈明を目的とするものであり、訂正事項ｃは、前記特許請求の範囲の減縮及び明りょうでない記載の釈明に伴って、特許請求の範囲の記載と発明の詳細な説明の記載とを整合させるため、特許明細書の【課題を解決するための手段】、【作用】及び【実施例】を訂正する、明りょうでない記載の釈明を目的とするものであり、そして、これらの訂正事項ａ乃至ｃは、特許明細書に記載された事項の範囲内において訂正するものであるから新規事項の追加に該当せず、また、実質上特許請求の範囲を拡張し又は変更するものでもない。
　　　
　（４）むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　
３．特許異議申立てについての判断
　（１）本件発明
　本件請求項１及び２に係る発明は、その訂正及び補正が認められた訂正明細書及び図面の記載からみて、その特許請求の範囲の請求項１及び２に記載された、以下の事項により特定されるものである。
　【請求項１】誘電体フィルタ用基板上に、１個もしくは複数の誘電体共振器の結合ピンの位置と、基板表面に形成された導体パターンのハンダ付け位置とが一致する深さの溝状の凹部を設け、かつ該凹部の幅を、上記基板上に搭載するそれぞれの誘電体共振器の幅とほぼ同じ大きさとなし、該凹部上に、上記誘電体共振器を搭載する構造としてなることを特徴とする誘電体フィルタ用基板。
　【請求項２】請求項１に記載の誘電体フィルタ用基板を用い、上記凹部上に、上記誘電体共振器を搭載し、該誘電体共振器の結合ピンと上記基板上の導体パターンとをハンダ付けにより固定してなることを特徴とする誘電体フィルタ。
　　　
　（２）取消理由の概要 
　当審が平成１３年２月２２日付けで通知した取消理由は、本件請求項１及び２に係る発明は、異議申立人．芦沢富美子の提出にかかる下記の第１引用例の特許出願の願書に最初に添付された明細書又は図面に記載された発明と同一であると認められるから、本件特許は特許法第２９条の２の規定に違反してなされたものである、あるいは、刊行物である下記の第２乃至６引用例に記載された発明に基づいて当業者が容易に発明をすることができたものと認められるから、本件特許は、特許法第２９条第２項の規定に違反してなされたものであるので、取り消されるべきというものである。
　　
　第１引用例．特願平６−２３５２６０号（特開平８−９７６０７号公報）
　第２引用例．特開昭６３−１９０４０５号公報
　第３引用例．実公昭６３−４２７２３号公報
　第４引用例．特開平５−７１１１号公報
　第５引用例．実願昭６３−２５３５６号（実開平１−１２９９０３号）
　　　　　　　のマイクロフィルム
　第６引用例．特開昭６２−２３２０２号公報
　　　　　
　（３）第２引用例に記載の発明
　i．第２引用例〔特開昭６３−１９０４０５号公報〕には、以下の記載が認められる。
　「マイクロ波集積回路での誘電体共振器の実装方法において、回路基板(1)に設けた切り欠き部(2)に、外形に段部(6)を設けた同軸型誘電体共振器(5)を、該段部(6)まで嵌め込ませ、該回路基板(1)上の当接する回路パターン(3)と、該同軸型誘電体共振器(5)の外形および内導体(7)とを直接半田接続することを特徴とする同軸型誘電体共振器の実装方法」（第２引用例第１頁左下欄第６〜１４行）、
　「この際、段部６のレベルと内導体７のレベルを同じとしてある。マイクロ波集積回路を構成するセラミック板の回路基板１には、回路パターン３に合わせて、この同軸型誘電体共振器５を嵌め込む切り欠き部２の角穴を備えている。同軸型誘電体共振器５を切り欠き部２に嵌め込めば、段部６で回路基板１の上面に当接し、更に、切り欠き部２の回路パターン３も当接される。従って、そのまま同軸型誘電体共振器５の外接部と所定の回路パターン３とを半田接続して、固定と回路接続を行っている。このとき、内導体７と接続する回路パターン３は同レベルとなり、当接するので半田のみで接続出来る。また、回路基板１に同軸型誘電体共振器５を実装する際に、回路基板１の下の接地基板１１が突き当たる時は、略同形に掘り下げておく。」（同第３頁左上欄第８行〜右上欄第６行）、
　「上記の実施例は同軸型誘電体共振器として外形は直方体であったが、円棒形や他形状であってもよく、段部を設けて、回路基板の切り欠き部に嵌め込み、回路パターンと半田付けにより固定と接続を行うことは可能である。」（同第３頁右上欄第１３〜１７行）。
　　　
　ii．第２引用例における前記摘示の記載及び図面第１、２図によれば、第２引用例には、以下の発明（以下、「引用発明」という。）が記載されているものと認められる。
　「回路基板１および接地基板１１からなる誘電体共振器用基板上に、誘電体共振器５の内導体７の位置と、上記回路基板１の表面に形成された回路パターン３のハンダ付け位置とが一致する深さとなるように上記回路基板１に設けた切り欠き部２と上記接地基板１１に設けた上記誘電体共振器と略同形の掘り下げ部とからなる凹部を設け、かつ該切り欠き部２の幅を、上記誘電体共振器用基板上に搭載する誘電体共振器５に形成した段部６を除いた幅とほぼ同じ大きさとなし、該凹部上に、上記誘電体共振器５を搭載する構造としてなる誘電体共振器用基板。
　前記誘電体共振器用基板を用い、上記凹部上に、上記誘電体共振器５を搭載し、該誘電体共振器５の内導体７と上記回路基板１上の回路パターン３とをハンダ付けにより固定してなる誘電体共振器。」
　　　　
　（４）本件請求項１及び２の発明と引用発明との対比
　本件請求項１及び２の発明と引用発明とを対比すると、引用発明における、「誘電体共振器用基板」、「誘電体共振器５」、「回路パターン３」、は、それぞれ、本件請求項１及び２の発明における、「誘電体フィルタ用基板」、「誘電体共振器」、「導体パターン」に相当する。また、引用発明における「回路基板１に設けた切り欠き部２と接地基板１１に設けた誘電体共振器と略同形の掘り下げ部とからなる凹部」は、誘電体共振器５を基板上に搭載するために、外形に段部を形成し、円棒形等の誘電体共振器の形状に適合するように略同形に設けた凹部であるから、その凹部の形状において、本件請求項１及び２の発明における「誘電体フィルタ用基板に設けた溝状の凹部」に相当する。
　そうすると、本件請求項１及び２の発明と引用発明は、以下の点でそれぞれ、一致ならびに相違するものと認められる。
　　　
　一致点．「【請求項１】誘電体フィルタ用基板上に、誘電体共振器の結合ピンの位置と、基板表面に形成された導体パターンのハンダ付け位置とが一致する深さの溝状の凹部を設け、かつ該凹部の幅を、上記基板上に搭載する誘電体共振器の幅とほぼ同じ大きさとなし、該凹部上に、上記誘電体共振器を搭載する構造としてなる誘電体フィルタ用基板。
　【請求項２】請求項１に記載の誘電体フィルタ用基板を用い、上記凹部上に、上記誘電体共振器を搭載し、該誘電体共振器の結合ピンと上記基板上の導体パターンとをハンダ付けにより固定してなる誘電体フィルタ。」
　　　
　相違点Ａ．誘電体フィルタ用基板に設ける溝状の凹部の幅が、本件請求項１及び２の発明では誘電体共振器の幅とほぼ同じ大きさであるのに対して、引用発明では誘電体共振器５に形成した段部６を除いた幅とほぼ同じ大きさである点。
　　　
　相違点Ｂ．誘電体フィルタ用基板上に設ける溝状の凹部を、本件請求項１及び２の発明では上記基板上に搭載する１個もしくは複数の誘電体共振器のそれぞれに応じて設けるのに対して、引用発明では上記基板上に搭載する１個の誘電体共振器に応じて設ける点。
　　　
　相違点Ｃ．誘電体共振器の内導体あるいは結合ピンの位置と基板表面に形成された導体パターンのハンダ付け位置とが一致するものにおいて、本件請求項１及び２の発明では誘電体共振器を結合ピンを介して基板上の導体パターンとハンダ付けするのに対して、引用発明では誘電体共振器の内導体７を基板上の導体パターンと直接ハンダ付けする点。
　　　　
　（５）．相違点の検討
　i．相違点Ａについて
　誘電体フィルタ用基板に、誘電体共振器の幅とほぼ同じ大きさの切り欠き部を設けることは周知技術（例えば、第３引用例〔実公昭６３−４２７２３号公報、第４引用例〔特開平５−７１１１号公報〕）であり、しかも、引用発明は、誘電体フィルタ用基板に誘電体共振器の幅とほぼ同じ大きさの凹部を設けるものを発明の起点にして、誘電体共振器の固定及び接続をさらに正確に行えるように誘電体共振器５に段部６を形成するものに改良発展させたものであることが明らかであるから、誘電体フィルタ用基板に設ける凹部の構成として、引用発明に示される誘電体共振器５に段部６を形成するものに代えて、前記周知技術を採用して、相違点Ａにかかる本件請求項１及び２の発明の構成のようにすることは、当業者が容易に想到できるものと認められる。
　　　
　ii．相違点Ｂについて
　第６引用例〔特開昭６２−２３２０２号公報〕には、複数の誘電体共振器を誘電体基板を含む基台に並列配置して収納するときに、上記基台に各誘電体共振器を挟持する溝状の凹部を設けることで誘電体共振器を所定位置に安定して配置収納する技術が記載されており、また、誘電体フィルタ用基板上に複数の誘電体共振器を搭載することは適宜行われていること（例えば、特開平６−１１２７１２号公報、特開平６−３２６５０４号公報）であるからして、引用発明に第６引用例に記載の技術を適用して、相違点Ｂにかかる本件請求項１及び２の発明の構成のようにすることは、当業者が容易に想到できるものと認められる。
　　　　　
　iii．相違点Ｃについて
　誘電体共振器の結合ピンの位置と基板表面に形成された導体パターンのハンダ付け位置とが一致するものにおいて誘電体共振器を結合ピンを介して基板上の導体パターンとハンダ付けすることは周知技術（例えば、第３引用例〔実公昭６３−４２７２３号公報、第５引用例〔実開平１−１２９９０３号公報〕）であるから、引用発明に前記周知技術を適用して、相違点Ｃにかかる本件請求項１及び２の発明の構成のようにすることは、当業者が容易に想到できるものと認められる。
　　
　iv．よって、本件請求項１及び２の発明は、第２引用例及び第６引用例に記載された発明に基づいて当業者が容易に発明をすることができたものと認められるので、特許法第２９条第２項の規定により特許を受けることができない。
　　　　
　（６）むすび
　以上のとおりであるから、本件請求項１及び２に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月２４日（２００１．１０．２４）
【訂正の要旨】
訂正の要旨
　訂正の内容
　ｉ．訂正事項ａ
　特許明細書の特許請求の範囲の請求項１中の「基板表面に形成された導体パターンのハンダ付け位置とが一致する深さの溝状の凹部もしくは段差状の凹部を設け、」を「基板表面に形成された導体パターンのハンダ付け位置とが一致する深さの溝状の凹部を設け、」と訂正する。
　ｉｉ．訂正事項ｂ
　特許明細書の特許請求の範囲の請求項１中の「かつ該凹部の幅を、上記基板上に搭載する１個もしくは複数の誘電体共振器の幅とほぼ同じ大きさとなし、」を「かつ該凹部の幅を、上記基板上に搭載するそれぞれの誘電体共振器の幅とほぼ同じ大きさとなし、」と訂正する。
　ｉｉｉ．訂正事項ｃ
　上記訂正事項ａ〜ｂに対応して特許明細書の【課題を解決するための手段】及び【作用】中の「基板表面に形成された導体パターンのハンダ付け位置とが一致する深さの溝状の凹部もしくは段差状の凹部を設け、かつ該凹部の幅を、上記基板上に搭載する１個もしくは複数の誘電体共振器の幅とほぼ同じ大きさとなし、」を「基板表面に形成された導体パターンのハンダ付け位置とが一致する深さの溝状の凹部を設け、かつ該凹部の幅を、上記基板上に搭載するそれぞれの誘電体共振器の幅とほぼ同じ大きさとなし、」と訂正し、【実施例】中の「また、図２（ｃ）に示すような段差状の凹部４１を設けた基板１０ｂを用いてもよい。」を「また、図２（ｃ）に示すような誘電体フィルタ用基板は参考例であり、段差状の凹部４１を設けた基板１０ｂを用いている。」と訂正する。
（５４）【発明の名称】
誘電体フィルタ用基板とそれを用いた誘電体フィルタ
（５７）【特許請求の範囲】
　【請求項１】
　誘電体フィルタ用基板上に
、１
部を
それぞれの
　【請求項２】
　請求項１に記載の誘電体フィルタ用基板を用い、上記凹部上に、上記誘電体共振器を搭載し、該誘電体共振器の結合ピンと上記基板上の導体パターンとをハンダ付けにより固定してなることを特徴とする誘電体フィルタ。
【発明の詳細な説明】
　【０００１】
　【産業上の利用分野】
　本発明は携帯電話機等の無線通信機の小形化と経済化が期待されているアンテナ共用器に用いられる誘電体フィルタに係り、特に誘電体共振器の位置決めが容易で取り付けが極めて簡単な構造の誘電体フィルタ用基板、およびそれを用いた電気的特性ならびに性能が安定した小形で製作費の安価な誘電体フィルタに関する。
　【０００２】
　【従来の技術】
　近年、各種無線機（携帯電話等）の普及により、無線機の通話時間と通話距離に大きな影響を与え、小形化と経済化が要求されている部品としてアンテナ共用器があり、このアンテナ共用器に用いられる誘電体フィルタ用基板についても、小形で誘電体共振器の取付けが極めて簡易な構造の誘電体フィルタ用基板が要求されている。
　従来の誘電体フィルタは、図３に示すように、プリント基板１に導体パターンを形成し、その上に誘電体共振器２を配置し、誘電体共振器２の結合ピン３に曲げ加工を施して、プリント基板１の導体パターン上に位置合わせを行い、ハンダ付けによりプリント基板１上に実装していた。このように、従来の誘電体フィルタの組み立てにおいて、誘電体共振器が一体でなく、バラバラであり、ハンダ付けで基板に固定する時に固定位置が安定せず、固定位置が動いてずれたりして電気特性にバラツキが生じ、誘電体フィルタの特性ならびに性能が安定しないという問題があった。
　【０００３】
　【発明が解決しようとする課題】
　上述した従来の誘電体フィルタは、以下に示す問題があった。すなわち、
（１）誘電体共振器の結合ピンの曲げ加工が必要で、加工工数が多く掛かり、コスト高となる。
（２）誘電体共振器の結合ピンのハンダ付け位置決めが難しく、誘電体フィルタの組み立てにおいて、誘電体共振器が一体でなく、バラバラであり、ハンダ付けで基板に固定する時に固定位置が安定せず、固定位置が動いてずれたりして電気特性にバラツキが生じ、誘電体フィルタの特性ならびに性能が不安定となる。
（３）上記（２）の理由からリフローハンダ付け等ができないため、組立て工数が多く掛かり製造コストが増大する。
　【０００４】
　本発明の目的は、上記従来技術における問題点を解消し、誘電体共振器の位置決めが容易で、誘電体フィルタの組み立て工数の低減が可能な誘電体フィルタ用基板、およびそれを用いて作製した小形で、安定した特性と性能を有する誘電体フィルタを提供することにある。
　【０００５】
　【課題を解決するための手段】
　上記本発明の目的を達成するために、本発明は特許請求の範囲に記載のような構成とするものである。すなわち、
　本発明は請求項１に記載のように、誘電体フィルタ用基板上に
、１
部を
それぞれの
　このように構成すると、各々誘電体共振器の結合ピンの位置と、基板表面に形成された導体パターンのハンダ付け位置とが一致し、かつ誘電体共振器の搭載が可能な形状の溝状の凹部、あるいは段差状の凹部が形成されているので、基板上に搭載する誘電体共振器の位置決めが極めて容易となり、誘電体フィルタの組み立て工数を著しく低減することができ、製造コストが安価となる。
　さらに、本発明は請求項２に記載のように、請求項１に記載の誘電体フィルタ用基板を用い、上記凹部上に、上記誘電体共振器を搭載し、該誘電体共振器の結合ピンと上記基板上の導体パターンとをリフローハンダ付けなどにより固定して誘電体フィルタとするものであり、搭載する誘電体共振器の固定位置とハンダ付け位置とを安定させることができるので、特性ならびに性能が安定し、信頼性の高い誘電体フィルタを実現することができる。
　【０００６】
　【作用】
　本発明の誘電体フィルタ用基板は、請求項１に記載のように、誘電体フィルタ用基板上に
、１
部を
それぞれの
　さらに、本発明は請求項２に記載のように、請求項１に記載の誘電体フィルタ用基板を用い、上記凹部上に、上記誘電体共振器を搭載し、誘電体共振器の結合ピンと上記基板上の導体パターンとを、例えばリフローハンダ付け等により一括して組み立てることができ、多数個の誘電体共振器であっても位置決めが極めて容易であり、正確な位置に固定することができるので、特性ならびに性能が安定した小型の誘電体フィルタを安価に作製することができる。
　【０００７】
　【実施例】
　以下に本発明の実施例を挙げ、図面を用いてさらに詳細に説明する。
　図１は、本発明の誘電体フィルタ用基板を用いて組み立てた誘電体フィルタの外観を示す斜視図であり、図２（ａ）〜（ｃ）は、組み立ての順序を示す工程図である。図１において、基板１０としては、通常用いられている基板材料を用いることができ、プラスチック（液晶ポリマー等）基板、アルミナ等のセラミック基板などを用いることができる。誘電体共振器２０は、５個連接して設け、結合ピン３０は、基板１０に設けられた導体パターン（図示せず）上にハンダ付けしている。なお、基板１０の形状は、図２（ｃ）に示すように、誘電体共振器２０を５個連接して装着できる大きさの段差状の凹部４１を形成した基板１０ｂを用いた。
　次に、図２を用いて、誘電体フィルタ５０の組み立ての手順を説明する。誘電体共振器２０を５個連接したものを用意する。なお、５個連接した誘電体共振器２０は、適当な接着剤等を用いて接合したものを用いてもよい〔図２（ａ）〕。
　次に、図２（ｂ）に示すプラスチック（液晶ポリマー等）製の溝状の凹部４０を有する基板１０ａを用意する。この基板１０ａには、誘電体共振器２０の底部の形状に合わせた溝状の凹部４０が５個連接して設けられている。また、図２（ｃ）に示すような
誘電体フィルタ用基板は参考例であり、
いる
　次に、誘電体共振器２０の結合ピン３０と、基板１０ａもしくは１０ｂの導体パターンとをハンダ付けすれば誘電体フィルタ５０を製造することができる。なお、上記誘電体共振器２０の結合ピン３０と、基板１０ａもしくは１０ｂの導体パターンとの位置決めは確実に行うことができるので、リフローハンダ付けによる接合を行えば誘電体フィルタ５０の組み立てを効率良く行うことができる。
　このように、本発明の誘電体フィルタは、誘電体共振器をハンダ付けにより実装する場合に、位置決めができることから製造効率の良いリフローハンダ付けを行うことができる。さらに、誘電体共振器と基板の導体パターンとを接続する場合に、誘電体共振器の結合ピンを曲げ加工して導体パターンに位置合わせする必要がなく、製造工数を著しく低減することができ、かつ特性ならびに性能が安定した誘電体フィルタが得られる。
　【０００８】
　【発明の効果】
　本発明の誘電体フィルタ用基板を用いた誘電体フィルタは、以下に示す効果がある。
（１）誘電体共振器の結合ピンの曲げ加工が不要となり、誘電体フィルタの組み立て工数を削減することができ、製造コストの低減効果を得ることができる。
（２）誘電体共振器のハンダ付け位置決めを正確に行うことができるのでリフローハンダ付けを行うことが可能となり、特性ならびに性能の安定した誘電体フィルタを実現することができ、かつ製造コストを著しく低減することが可能となる。
（３）また、基板に半ば挿入した状態で誘電体共振器を配設できるので誘電体フィルタの小形化を図ることができる。
【図面の簡単な説明】
　【図１】
　本発明の実施例で例示した誘電体フィルタの外観構成を示す斜視図。
　【図２】
　本発明の実施例で例示した誘電体フィルタの作製過程を示す模式図。
　【図３】
　従来の誘電体フィルタの外観構成を示す斜視図。
　【符号の説明】
１……プリント基板
２……誘電体共振器
３……結合ピン
１０……基板
１０ａ…溝状の凹部を有する基板
１０ｂ…段差状の凹部を有する基板
２０……誘電体共振器
３０……結合ピン
４０……溝状凹部
４１……段差状凹部
５０……誘電体フィルタ